(57)【要約】      （修正有）【課題】簡単で容易に製造できるワイド・ビュー液晶表示パネルを提供する。【解決手段】液晶表示パネルには延伸性及び補償膜機能を有した基板を用いる。即ち、液晶表示パネルは、第一の表面及び第二の表面を有する第一の補償基板と、前記第一の表面に設置された第一の配向膜と、前記第二の表面に設置された第一の偏光板と、第三及び第四の表面を有する第二の補償基板と、前記第三の表面に設置された第二の配向膜と、前記第四の表面に設置された第二の偏光板と、液晶分子層とを備えてなり、前記第一の補償基板及び第二の補償基板は、前記第一の表面と前記第三の表面との互いに相対した位置に配置され、前記液晶分子層は、前記第一の補償基板と前記第二の補償基板との間に設置されてなることを特徴とする。【選択図】図２
2005157295.tif 000002
【特許請求の範囲】
【請求項１】
第一の表面及び第二の表面を有する第一の補償基板と、
前記第一の表面に設置された第一の配向膜と、
前記第二の表面に設置された第一の偏光板と、
第三の表面及び第四の表面を有する第二の補償基板と、
前記第三の表面に設置された第二の配向膜と、
前記第四の表面に設置された第二の偏光板と、
液晶分子層と、
を備えてなり、その中、前記第一の補償基板及び前記第二の補償基板は、前記第一の表面と前記第三の表面との互いに相対した位置に配置され、前記液晶分子層は、前記第一の補償基板と前記第二の補償基板との間に設置されてなることを特徴とするワイド・ビュー液晶表示パネル。
【請求項２】
前記第一の補償基板及び前記第二の補償基板は、いずれも延伸性補償膜機能を有する可撓性プラスチック基板である請求項１記載のワイド・ビュー液晶表示パネル。
【請求項３】
前記第一の補償基板及び前記第二の補償基板は、いずれも双光軸補償基板であり、
この双光軸補償基板はさらに、面内位相差Ｒ０及び面外位相差Ｒｔｈを有し、その中、前記Ｒ０は０〜４００ｎｍの間に介在し、そして前記Ｒｔｈは０〜３００ｎｍの間に介在し、
前記双光軸補償基板は第一のＸ方向光軸及び第二のＹ方向光軸を有する光学異方性基板である請求項１記載のワイド・ビュー液晶表示パネル。
【請求項４】
前記表示パネルはさらに、前記第一の表面と前記第一の配向膜との間に設置された第一の透明電極を備えており、
この第一の透明電極は透明導電薄膜であり、前記透明導電薄膜は金属酸化物により製造されてなる請求項１記載のワイド・ビュー液晶表示パネル。
【請求項５】
前記表示パネルはさらに、前記第三の表面と前記第二の配向膜との間に設置された第二の透明電極を備えており、
この第二の透明電極は金属酸化物により製造されてなる請求項１記載のワイド・ビュー液晶表示パネル。
【請求項６】
前記液晶パネルはさらに、前記第一の補償基板と、前記液晶層との間に設置されたカラーフィルタを備えており、
前記表示パネルはさらに、前記第二の補償基板の前記第三の表面に設置された薄膜トランジスタ層を備えており、
前記第一の配向膜及び前記第二の配向膜はポリイミド樹脂により製造されてなり、
前記第一の偏光板及び前記第二の偏光板はＰＶＡ基質から膜に伸ばされた後、該両側にそれぞれ一層のＴＡＣ膜貼合せて作製されてなる請求項１記載のワイド・ビュー液晶表示パネル。
【請求項７】
第一の表面及び第二の表面を有する第一の補償基板と、
第三の表面及び第四の表面を有する第二の補償基板と、
液晶分子層と、
を備えてなり、その中、前記第一の補償基板及び前記第二の補償基板は、前記第一の表面と前記第三の表面との互いに相対した位置に配置され、前記液晶分子層は前記第一の補償基板と前記第二の補償基板との間に設置されてなることを特徴とするワイド・ビュー液晶表示パネル。
【請求項８】
前記表示パネルはさらに、前記第一の表面に設置された第一の配向膜を備え、
前記表示パネルはさらに、前記第三の表面に設置された第二の配向膜を備え、
前記表示パネルはさらに、前記第二の表面に設置された第一の偏光板を備え、及び／又は、
前記表示パネルはさらに、第四の表面に設置された第二の偏光板を備えてなる請求項７記載のワイド・ビュー液晶表示パネル。
【発明の詳細な説明】
【技術分野】
【０００１】
本発明は、液晶表示パネルに関し、特に、ワイド・ビューを具備した液晶表示パネルに関する。
【背景技術】
【０００２】
主動式薄膜トランジスタは、各ピクセル光通過量を主動的に制御する素子であり、その映像の発生によりパネル上の各独立ピクセルをしていずれも所望の色彩を発生せしむるようにする。
【０００３】
この目的を達成するために、複数個のコールド・カソード・チューブを表示器のバック・ライト・ソースとして使用しなければならない。また、光が各ピクセルを通過するために、パネルは光を通過させるように一個づつの小ゲート又はスイッチに分割製造されなければならない。
【０００４】
液晶表示器（ＬＣＤ）は、この液晶素子を使用して光を変調するスクリーンであり、当該液晶は、それの分子構造を改変できるので、不同程度の光量をしてそれ自体を通過せしむることができる。反対に完全に光線を遮断することもできる。
【０００５】
この液晶表示器には、二つの偏光板と、カラー・フィルタ・アレイと、配向膜とが含まれており、光通過量の最大値とカラーの発生とを決定することができる。液晶層は、二つのガラスの間に位置しており、電圧が配向層に印加されると電界を生じ、配向層界面の液晶をある方向に向って配列させる。各素子は、映像管のようにいずれも赤、緑、青の三つのサブピクセスにより組成されている。
【０００６】
現在最も常用されている液晶モードは、ツイステッド・ネマチック液晶（ＴＮ）であり、その運用原理はトランジスタがサブピクセルに対してゼロ・ボルテージを印加して、液晶（及びこれにより通過が制御された偏光）を二基板間で水平に９０°回転させることに基づく。
【０００７】
この場合、第二の基板の偏向フィルタが第一の基板に対して９０°ずれるので、光線がそれを通過し、赤、緑、青のサブピクセルであれば十分に照射され、それらが混合して画面上に一個の白点を生ずる。しかし、電圧をＩＴＯに印加すると、一垂直電界になり、液晶のらせん構造を破壊する。すると、液晶分子は自らを電界と同一の方向に配列するように試む。これは、液晶分子が最後において第二のフィルタに垂直することを意味し、この状態下で入射光線が偏光して全体のサブピクセルを通過できなくなり、サブピクセルの白点が黒点となって全体の画面が黒色を呈する。
【発明の開示】
【発明が解決しようとする課題】
【０００８】
伝統のＣＲＴ表示器と、ツイステッド・ネマチック液晶ＦＦＴ（ＴＦＴ−ＴＮ）とを比較すれば、ＴＦＴ−ＴＮには数種類の重大な欠点の一つとして視角の問題が存在している。即ち、ある角度からＴＦＴ−ＬＣＤを観察すれば、表示器の輝度が急激に下降する他、厳重な変色現象を発生する。ＴＦＴ−ＴＮは通常９０°の視角、つまり左右両側にそれぞれ４５°の視角しかないので、如何に視角を改善するかが従来からＬＣＤ産業が克服に努めてきた課題である。
【０００９】
目前、ワイド・アングル技術として主に、（１）光学補償膜法（ＴＮ  ＋  Ｆｉｌｍ）と、（２）多領域垂直配向法（Ｍｕｌｔｉ−ｄｏｍａｉｎ  Ｖｅｒｔｉｃａｌ  Ａｌｉｇｍｍｅｎｔ：ＭＶＡ）と、（３）横方向電界効果法（Ｉｎ  Ｐｌａｎ  Ｓｗｉｔｃｈｉｎｇ：ＩＰＳ）との３種類に大別される。
その中、方法（２）及び（３）は、液晶ボックス中の製造プロセスに関連して比較的複雑である一方、方法（１）の光学補償膜法は、現有のＴＦＴ−ＬＣＤに光学補償膜を増貼すればよく、最も容易に応用できるばかりでなく、技術も他の両種類技術よりも廉価で生産性が高いことから、現在のワイド・ビュー液晶表示器市場では主として光学補償膜の方法を採用しており、約全市場の８０％を占めている。
【００１０】
図１は、前記光学補償膜の方法を利用して製造されたワイド・ビューＬＣＤパネル構造を示す図である。該ワイド・ビューＬＣＤパネル構造は、第一の透明基板１１と、第二の透明基板１２と、該第一の透明基板１１と第二の透明基板１２との間に挟持された液晶層１３と、該第一の透明基板１１に貼付された第二の光学補償膜１５とにより構成されてなる。
【００１１】
当然ながら実際の応用には、上記の構造はさらに、該第一の光学補償膜１４外に貼付された第一の偏光板１６と、該第二の光学補償膜１５外に貼付された偏光板１７とを備えてなる。上記構造はさらに、該第一の透明基板１１内に貼付された第一の配向膜１８と、該第二の透明基板１２内に貼付された第二の配向膜１９とを備えてなる。その中、該第一の透明基板１１と、該第二の透明基板１２とはいずれも無延伸性のガラス基板又はプラスチック基材により製造されてなり、また該第一の偏光板１６と該第二の偏光板１７とはいずれも２ＴＡＣ（ｔｒｉａｃｅｔｙｌ−Ｃｅｌｌｕｌｏｓｅ）膜の間に挟設されたＰＶＡ（ｐｏｌｙｖｉｎｙｌ  ａｌｃｏｈｏｌ）膜により製造されてなり、そして該第一及び第二の光学補償膜１４、１５はＬＣＤパネル視角コントラストを増加する機能を提供する役目を果たし、ＬＣＤの視角を１００°〜１４０°までに向上させる。
【００１２】
従って、光学補償膜、即ちワイド・ビュー・フィルム（ＷＶＦ）は液晶表示器の産業領域において代表的な材料素子である。液晶表示器が液晶が固体と液体との間に介する特性と光学性質とを利用し、光学フィルムと取合せて明暗を顕現するので、各種の光学フィルムとの組合せにより最終的な表示品質に影響する。しかしながら、目下全地球では富士写真（日本メーカ）しかＴＦＴ−ＬＣＤ視角コントラストを増加する光学補償を提供していず、先ず富士写真により生産されたワイド・ビュー・フィルム（Ｆｕｊｉ  Ｆｉｌｍ）を偏光膜のメーカに提供して該メーカにより貼合せてから、ＴＦＴ−ＬＣＤメーカに販売されるので、価格がワイド・ビュー・フィルムを貼付していない偏光膜より２乃至３倍アップし、コストが向上するばかりでなく、製作時間も長引くことになる。また、各偏光膜メーカ毎にワイド・ビュー・フィルムの貼合品質がとりどりなので、不同メーカの補償膜の貼付による生産性降下の問題を引起す。
【００１３】
したがって、本出願人は上記先行技術の欠点に鑑み、鋭意にテストと研究とを重ねた結果、ついに本発明の簡単且つ容易に製造できるワイド・ビュー液晶表示パネルを案出した。
【００１４】
本発明の主たる目的は、伝統に使用されていたガラス又はプラスチック基板の代りに延伸性及び補償膜機能を有し、簡単で容易に製造できるワイド・ビュー液晶表示パネルを提供することにある。
【課題を解決するための手段】
【００１５】
上記目的を達成するために本発明のワイド・ビュー液晶表示パネルは、
第一の表面及び第二の表面を有する第一の補償基板と、前記第一の表面に設置された第一の配向膜と、前記第二の表面に設置された第一の偏光板と、第三及び第四の表面を有する第二の補償基板と、前記第三の表面に設置された第二の配向膜と、前記第四の表面に設置された第二の偏光板と、液晶分子層とを備えてなり、前記第一の補償基板及び第二の補償基板は、前記第一の表面と前記第三の表面との互いに相対した位置に配置され、前記液晶分子層は、前記第一の補償基板と前記第二の補償基板との間に設置されてなることを特徴とする（請求項１に対応）。
【００１６】
上記本発明のワイド・ビュー液晶表示パネルにおいて、前記第一の補償基板及び前記第二の補償基板は、いずれも延伸性補償膜機能を有する可撓性プラスチック基板である（請求項２に対応）。
【００１７】
また、上記本発明のワイド・ビュー液晶表示パネルにおいて、前記第一の補償基板及び前記第二の補償基板は、いずれも双光軸補償基板であり、この双光軸補償基板はさらに、面内位相差Ｒ０及び面外位相差Ｒｔｈを有し、その中前記Ｒ０は０〜４００ｎｍの間に介在し、そして前記Ｒｔｈは０〜３００ｎｍの間に介在し、前記双光軸補償基板は第一のＸ方向光軸及び第二のＹ方向光軸を有する光学異方性基板である（請求項３に対応）。
【００１８】
また、上記本発明のワイド・ビュー液晶表示パネルにおいて、前記表示パネルはさらに、前記第一の表面と前記第一の配向膜との間に設置された第一の透明電極を備えており、前記第一の透明電極は透明導電薄膜であり、この透明導電薄膜は金属酸化物により製造されてなる（請求項４に対応）。
【００１９】
また、上記本発明のワイド・ビュー液晶表示パネルにおいて、前記表示パネルはさらに、前記第三の表面と前記第二の配向膜との間に設置された第二の透明電極を備えており、この第二の透明電極は金属酸化物により製造された透明導電薄膜である（請求項５に対応）。
【００２０】
また、上記本発明のワイド・ビュー液晶表示パネルにおいて、前記液晶パネルはさらに、前記第一の補償基板と前記液晶層との間に設置されたカラーフィルタを備えており、前記表示パネルはさらに、前記第二の補償基板の前記第三の表面に設置された薄膜トランジスタ層を備えており、前記第一の配向膜及び前記第二の配向膜はポリイミド樹脂により製造されてなり、前記第一の偏光板及び前記第二の偏光板はＰＶＡ（ｐｏｌｙｖｉｎｙｌ  ａｌｃｏｈｏｌ）基質から膜に伸ばされた後、該両側にそれぞれ一層のＴＡＣ（ｔｒｉａｃｅｔｙｌ  ｃｅｌｌｕｏｓｅ）膜貼合せて作製されてなる（請求項６に対応）。
【００２１】
更には上記本発明のワイド・ビュー液晶表示パネルは、第一の表面及び第二の表面を有する第一の補償基板と、第三の表面及び第四の表面を有する第二の補償基板と、液晶分子層とを備えてなり、前記第一の補償基板及び前記第二の補償基板は、前記第一の表面と前記第三の表面との互いに相対した位置に配置され、前記液晶分子層は前記第一の補償基板と前記第二の補償基板との間に設置されてなることを特徴とする（請求項７に対応）。
【００２２】
上記本発明のワイド・ビュー液晶表示パネルにおいて、前記表示パネルはさらに、前記第一の表面に設置された第一の配向膜を備え、前記表示パネルはさらに、前記第三の表面に設置された第二の配向膜を備え、前記表示パネルはさらに、前記第二の表面に設置された第一の偏光板を備え、及び／又は、前記表示パネルはさらに、第四の表面に設置された第二の偏光板を備えてなる（請求項８に対応）。
【発明の効果】
【００２３】
本発明により製造された補償基板はワイド・ビュー的に伝統の光学補償膜が貼付された表示パネルに匹敵するばかりでなく、パネルの厚さ及びコストをも低減し、不同メーカの補償膜の貼付により引起された生産性降下の問題を解決することができる。そしてパネルの厚さが低減され、光の通過ルートが減少されるので、光の消耗率も低減され、表示パネルに表示された映像品質を改善することができる。
【発明を実施するための最良の形態】
【００２４】
上記本発明のワイド・ビュー液晶表示パネルは以下の実施例の説明により、十分な諒解を得ることができる。
図２は本発明に係るワイド・ビュー液晶表示パネルの好適な一実施例を示す図である。この図に示すように、該ワイド・ビュー液晶表示パネルには第一の表面２１１及び第二の表面２１２を有する第一の補償基板２１と、該第一の表面２１１に設置された第一の配向膜２１３と、該第二の表面２１２に設置された第一の偏光板２１４と、第三の表面２２１及び第四の表面２２２を有する第二の補償基板２２と、該第三の表面２２１に設置された第二の配向膜２２３と、該第四の表面に設置された第二の偏光板２２４と、液晶分子層２３とを備えている。その中、該第一の補償基板２１及び該第二の補償基板２２は、該第一の表面２１１と該第三の表面２２１との互いに相対した位置に配置され、該液晶分子層２３は、該第一の補償基板２１と該第二の補償基板２２との間に設置されている。
【００２５】
該第一の補償基板２１及び該第二の補償基板２２は、いずれも延伸性、補償膜機能を有する可撓性プラスチック基板であると共に、双光軸補償基板である。この基板は面内位相差（Ｉｎｐｌａｎ  Ｒｅｔａｒｄａｔｉｏｎ  Ｖａｌｕｅ）Ｒ０及び面外位相差（Ｏｕｔ  ｏｆ  ｐｌａｎ  Ｒｅｔａｒｄａｔｉｏｎ  Ｖａｌｕｅ）Ｒｔｈを有し、その中、該Ｒ０は０〜４００ナノメータ（ｎｍ）の間に介在している。即ち、該基板は第一のＸ方向光軸及び第二のＹ方向光軸を有する光学異方性基板である。換言すれば、本発明により製造された補償基板は、ワイド・ビュー機能において光学補償膜を貼付した伝統の基板に匹敵する外、延伸したことにより応用上より大きな弾性を有しているので、光学補償膜を貼付したガラス又はプラスチック基板に取って代わることができる。
【００２６】
さらには実際の応用において、該ワイド・ビュー液晶表示パネルは、さらに該第一の表面２１１と該第一の配向膜２１３との間に設置された第一の透明電極２４を備えており、この第一の透明電極２４は金属酸化物により製造されてなる透明導電薄膜である。同様に、該ワイド・ビュー液晶表示パネルはさらに、該第三の表面２２１と該第二の配向膜２２３との間に設置された第二の透明電極２５を備えており、この第二の透明電極２５は、金属酸化物により製造された透明導電薄膜である。
【００２７】
該ワイド・ビュー液晶表示パネルはさらに、該第一の補償基板２１と該液晶層２３との間に設置されたカラー・フィルタ２６を備えている。
【００２８】
このワイド・ビュー液晶表示パネルが薄膜トランジスタ液晶表示器に応用される場合、該表示パネルはさらに該第二の補償基板２２の第三の表面２２１に設置された薄膜トランジスタ層２５を備えることにより液晶層２３内の液晶分子を制御することができる。この他に、該第一の配向膜２１３及び該第二の配向膜２２３は電界作成前の液晶分子を位置決めることに用いられ、これら配向膜２１３、２２３はポリイミド樹脂により製造されてなるものである。その一例として、回転ローラ転印法により膜上に複数のスリットを転印して液晶分子を同一方向に向ってスリット内に横たわさせるようにすることができる。そして該第一の偏光板２１４及び該第二の偏光板２２４はＰＶＡ（ｐｏｌｙｖｉｎｙｌ  ａｌｃｈｏｌ）基質から膜に延展された後、両側にそれぞれ１層のＴＡＣ（ｔｒｉａｃｅｔｙｌ  ｃｅｌｌｏｓｅ）膜を貼合わせて作製されてなる。この偏光板はある方向の光線のみに透過を許容させるように限定され、例えば、実際の製造において第一の偏光板２１４を第二の偏光板２２４とずれるように置き、電界により偏光板を駆動して文字又はパターンを表示するように限定される。
【００２９】
次に、図３は本発明に係るワイド・ビュー液晶表示パネルの他の好適な実施例を示す図である。この図に示すように、該ワイド・ビュー液晶表示パネルには、第一の表面３１１及び第二の表面３１２を有する第一の補償基板３１と第三の表面３２１及び第四の表面３２２を有する第二の補償基板３２と、液晶分子層３３とを備えてなり、その中外第一の補償基板３１及び該第二の補償基板３２は該第一の表面３１１と該第三の表面３２１とのたがいに相対した位置に配列され、該液晶分子層３３は該第一の補償基板３１と該第二の補償基板３２との間に設置されてなる。
【００３０】
このように、本発明のワイド・ビュー液晶表示パネルの主たる特色は、光学補償基板を利用して従来の無延伸性のガラス基板又はプラスチック基板に取って代わることにある。従って、該第一の補償基板３１及び該第二の補償基板３２はいずれも延伸性、補償膜機能を有する可撓性プラスチック基板であると共に、双光軸補償基板である。そして該基板は面内位相差（Ｉｎｐｌａｎ  Ｒｅｔａｒｄａｔｉｏｎ  Ｖａｌｕｅ）Ｒ０及び面外位相差（Ｏｕｔ  ｏｆ  ｐｌａｎ  Ｒｅｔａｒｄａｔｉｏｎ  Ｖａｌｕｅ）Ｒｔｈを有している。その中、該Ｒ０は０〜４００ナノメータ（ｎｍ）の間に介在し、そして該Ｒｔｈは０〜３００ｎｍの間に介在している。即ち、該基板は第一のＸ方向光軸及び第二のＹ方向光軸を有する光学異方性基板である。換言すれば、本発明により製造された補償基板と、その中に挟持された液晶分子層とは本発明のワイド・ビュー液晶表示パネルの基本構造であり、該表示パネルがワイド・ビュー機能及びそれが有する可撓式材質の性質は十分に光学補償膜を貼付した伝統の基板に取って代わることができる。
【００３１】
さらには実際の応用において、該ワイド・ビュー液晶表示パネルはさらに該第一の表面３１１と該第一の配向膜３１３との間に設置された第一の透明電極３４を備えており、この第一の透明電極３４は金属酸化物により製造されてなる透明導電薄膜である。同様に、該ワイド・ビュー液晶表示パネルはさらに、第三の表面３２１と第二の配向膜３２３との間に設置された第二の透明電極３５を備えており、この第一の透明電極３５は金属酸化物により製造されてなる透明導電薄膜である。該ワイド・ビュー液晶表示パネルはさらに該第一の補償基板表面３１と該液晶層３３との間に設置されたカラー・フィルタ３６を備えている。
【００３２】
また、本実施も上記実施例と同様、該ワイド・ビュー液晶表示パネルはさらに、第一の表面３１１に設置された第一の配向膜３１３と、第三の表面３２１に設置された第二の配向膜３２３を備えることにより電界作成前の位置決めることに用いられ、これら配向膜３１３及び３２３はポリイミド樹脂により製造されてなるものである。その一例として、回転ローラ転印方により膜上に複数本のスリットを転印して液晶分子を同一方向に向ってスリット内に横たわせるようにすることができる。また、該ワイド・ビュー液晶表示パネルはさらに、該第二の表面３１２に設置された第一の偏光板３１４と、第四の表面３２２に設置された第二の偏光板３２４とを備えており、これら偏光板ＰＶＡ（ｐｏｌｙｖｉｎｙｌ  ａｌｃｈｏｌ）基質から膜に延展された後、両側にそれぞれ１層のＴＡＣ（ｔｒｉａｃｅｔｙｌ  ｃｅｌｌｏｓｅ）膜を貼合わせて作製されてなる。この偏光板はある方向の光線のみに透過を許容させるように限定され、例えば、実際の製造において第一の偏光板２１４を第二の偏光板２２４とずれるように置き、電界により偏光板を駆動して文字又はパターンを表示するように限定される。しかしながら、本発明のワイド・ビュー液晶表示パネルを利用して作製された液晶表示器は厚さが従来のものよりも薄いので、その光の通行ルートが低減され、光線の消耗率もそれにつれて低下する。また、そのワイド・ビュー効果も従来の無延伸性ガラス基板又はプラスチック基板に光学補償膜を貼付する作法に比べて良好である。
【００３３】
要するに、本発明により提供された、製造が容易かつ快速なワイド・ビュー液晶表示パネルにおいて、該補償基板はワイド・ビュー機能において光学補償膜を貼付した伝統の基板に匹敵する外、延伸した可撓式材質を使用したことにより応用上より大きな弾性を有しているので、光学補償膜を貼付したガラス又はプラスチック基板に取って代わることができ、かつ、製造プロセスを簡化及び製造コストをできる外、さらにパネルの厚さを減少し光学効果を増加することができる。
【００３４】
上記実施例は、本発明をより具体的に説明するためにあげたもので、当然本発明の技術的思想は当該実施例に限定されず、添付のクレームの範囲を逸脱しない限り、当業者による単純な設計変更、付加、修飾、置換等はいずれも本発明の技術的範囲に属する。
【図面の簡単な説明】
【００３５】
【図１】従来のワイド・ビュー液晶表示パネルを示す図である。
【図２】本発明に係るワイド・ビュー液晶表示パネルの好適な実施例を示す図である。
【図３】本発明に係るワイド・ビュー液晶表示パネルの好適な他の実施例を示す図である。
【符号の説明】
【００３６】
１１  第一の透明基板
１２  第二の透明基板
１３  液晶層
１４  第一の光学補償膜
１５  第二の光学補償膜
１６  第一の偏光板
１７  第二の偏光板
１８  第一の配向膜
１９  第二の配向膜
２１  第一の補償基板
２１１  第一の表面
２１２  第二の表面
２１３  第一の配向膜
２１４  第一の偏光板
２２    第二の補償基板
２２１  第三の表面
２２２  第四の表面
２２３  第二の配向膜
２２４  第二の偏光板
２４  第一の透明電極
２５  第二の透明電極
２６  カラー・フィルタ
２７  薄膜トランジスタ
３１  第一の補償基板
３１１  第一の表面
３１２  第二の表面
３１３  第一の配向膜
３１４  第一の偏光板
３２    第二の補償基板
３２１  第三の表面
３２２  第四の表面
３２３  第二の配向膜
３２４  第二の偏光板
３４  第一の透明電極
３５  第二の透明電極
３６  カラー・フィルタ
【図１】
2005157295.tif 000003
【図２】
2005157295.tif 000004
【図３】
2005157295.tif 000005